(57)【要約】【課題】販売登録において異なる取引の商品が混在してしまうことを防止することができる登録装置およびプログラムを提供する。【解決手段】顧客に販売する商品を販売登録する登録装置と、当該登録装置が登録した商品の会計処理を実行する会計装置とを備えるチェックアウトシステムの登録装置であって、入力手段と、登録手段と、報知手段とを備える。前記入力手段は、販売対象の商品を識別可能な識別情報の入力を受け付ける。前記登録手段は、前記入力手段が受け付けた前記識別情報を、取引ごとに販売登録する。前記報知手段は、前記登録手段による其々の販売登録を取引ごとに区別可能に報知する。【選択図】図６
2018132862.tif 000002
【特許請求の範囲】
【請求項１】
顧客に販売する商品を販売登録する登録装置と、当該登録装置が登録した商品の会計処理を実行する会計装置とを備えるチェックアウトシステムの登録装置であって、
販売対象の商品を識別可能な識別情報の入力を受け付ける入力手段と、
前記入力手段が受け付けた前記識別情報を、取引ごとに販売登録する登録手段と、
前記登録手段による其々の販売登録を取引ごとに区別可能に報知する報知手段と、
を備える登録装置。
【請求項２】
前記報知手段は、前記入力手段が前記識別情報の入力を受け付けたことを示す音を取引ごとに変更して報知する、
請求項１に記載の登録装置。
【請求項３】
前記報知手段は、前記識別情報の登録を完了したことを報知する、
請求項１又は２に記載の登録装置。
【請求項４】
前記報知手段は、前記識別情報の登録を開始したことを報知する、
請求項１乃至３の何れか一項に記載の登録装置。
【請求項５】
前記報知手段は、取引における最初の前記識別情報を前記入力手段が受け付けたことを条件に、前記識別情報の登録を開始したことを報知する、
請求項４に記載の登録装置。
【請求項６】
顧客に販売する商品を販売登録する登録装置と、当該登録装置が登録した商品の会計処理を実行する会計装置とを備えるチェックアウトシステムの登録装置のコンピュータを、
販売対象の商品を識別可能な識別情報の入力を受け付ける入力手段と、
前記入力手段が受け付けた前記識別情報を、取引ごとに販売登録する登録手段と、
前記登録手段による其々の販売登録を取引ごとに区別可能に報知する報知手段と、
して機能させるためのプログラム。
【発明の詳細な説明】
【技術分野】
【０００１】
本発明の実施形態は、登録装置およびプログラムに関する。
【背景技術】
【０００２】
従来、商品の販売登録は店員が登録装置で行い、商品の会計処理は登録装置が読み取った情報に基づいて顧客自身が会計装置で行うセミセルフチェックアウトシステムが知られている。このようなセミセルフチェックアウトシステムによれば、登録装置は、読み取った情報を会計装置に送信する。そして、会計装置は、受信した情報に基づいて会計処理を実行している。
【０００３】
しかし、登録装置が読み取った情報を会計装置に送信せずに、次の顧客の販売登録を開始してしまった場合に、前の顧客の販売登録と今回の顧客の販売登録とが混在してしまう可能性がある。この場合、前の顧客が余分に代金を支払うこととなり、店舗の信用を毀損してしまう。
【発明の概要】
【発明が解決しようとする課題】
【０００４】
本発明が解決しようとする課題は、販売登録において異なる取引の商品が混在してしまうことを防止することができる登録装置およびプログラムを提供することである。
【課題を解決するための手段】
【０００５】
実施形態の顧客に販売する商品を販売登録する登録装置と、当該登録装置が登録した商品の会計処理を実行する会計装置とを備えるチェックアウトシステムの登録装置であって、入力手段と、登録手段と、報知手段とを備える。前記入力手段は、販売対象の商品を識別可能な識別情報の入力を受け付ける。前記登録手段は、前記入力手段が受け付けた前記識別情報を、取引ごとに販売登録する。前記報知手段は、前記登録手段による其々の販売登録を取引ごとに区別可能に報知する。
【図面の簡単な説明】
【０００６】
【図１】図１は、実施形態に係るセミセルフチェックアウトシステムの一例を示す模式図である。
【図２】図２は、登録装置の外観の一例を示す斜視図である。
【図３】図３は、会計装置の外観の一例を示す斜視図である。
【図４】図４は、登録装置のハードウェア構成の一例を示すブロック図である。
【図５】図５は、会計装置のハードウェア構成の一例を示すブロック図である。
【図６】図６は、セミセルフチェックアウトシステムの各装置が有する特徴的な機能構成の一例を示すブロック図である。
【図７】図７は、販売登録処理の一例を示すフローチャートである。
【発明を実施するための形態】
【０００７】
以下、図面を参照して、実施形態に係る登録装置およびプログラムについて詳細に説明する。以下に説明する実施形態は、登録装置およびプログラムの一実施形態であって、その構成や仕様等を限定するものではない。本実施形態は、スーパーマーケット等の店舗に導入されたセミセルフチェックアウトシステムの登録装置への適用例である。
【０００８】
図１は、実施形態に係るセミセルフチェックアウトシステム１の一例を示す模式図である。図１に示すように、セミセルフチェックアウトシステム１は、登録装置２０と、会計装置３０とを備えている。登録装置２０と、会計装置３０とは、有線又は無線のＬＡＮ（Local  Area  Network）等のネットワークを介して通信可能に接続している。登録装置２０は、顧客に販売する商品を店員が販売登録する装置である。そして、登録装置２０は、顧客に販売する商品が登録された販売登録情報を生成する。また、登録装置２０は、生成した販売登録情報を会計装置３０に送信する。会計装置３０は、登録装置２０が登録した商品の会計処理を顧客自身で実行する装置である。すなわち、会計装置３０は、登録装置２０から送信された販売登録情報に基づいて会計処理を実行する。
【０００９】
図１に示すセミセルフチェックアウトシステム１は、１台の登録装置２０に対して２台の会計装置３０が関連付けられている。そして、登録装置２０は、横長テーブル状の作業台４０の上に設置されている。２台の会計装置３０は、関連付けられている登録装置２０が設置された作業台４０に隣接して直線的に設置される。なお、図１に示す登録装置２０と、会計装置３０との配置位置は一例であって、各装置は他の位置に配置されていてもよい。また、セミセルフチェックアウトシステム１は、２台の登録装置２０と、４台の会計装置３０とを備えているが、１台以上の登録装置２０と、１台以上の会計装置３０とを備えていればよい。また、登録装置２０には、１台以上の会計装置３０が関連付けられていてもよい。さらに、登録装置２０と、会計装置３０とは、関連付けられていなくてもよい。
【００１０】
顧客は、売り場に陳列された商品から購入対象の商品を選択して買物カゴ等に収集する。顧客は、買物カゴ等に収集した商品を登録装置２０に運ぶ。店員は、買物カゴ等に収集された商品の販売登録を登録装置２０で実行する。店員は、販売登録が完了した場合に、販売登録した商品の情報等を有する販売登録情報を会計装置３０に送信する。また、店員は、販売登録情報を送信した会計装置３０に顧客を誘導する。そして、顧客は、店員に誘導された会計装置３０で会計処理を実行する。
【００１１】
次に、登録装置２０と会計装置３０との外観について説明する。
【００１２】
図２は、登録装置２０の外観の一例を示す斜視図である。登録装置２０は、作業台４０の上面に載置される。登録装置２０は、薄型矩形形状のハウジング２２０に覆われている。ハウジング２２０は、正面に読取窓２２１を備える。登録装置２０は、読取窓２２１の奥側にスキャナ２３０（図４参照）を備える。
【００１３】
スキャナ２３０は、商品に付されたコードシンボルから商品を識別可能な識別情報である商品コード等を読み取る装置である。読取窓２２１は、スキャナ２３０が照射したレーザ光をハウジング２２０の外部に透過させる。さらに、読取窓２２１は、商品に付された商品コード等に照射されたレーザ光の反射光をハウジング２２０の内部に透過させる。そして、スキャナ２３０は、ハウジング２２０の内部に透過された反射光を受光することにより商品コード等を読み取る。なお、スキャナ２３０は、商品の画像を撮像し、撮像した画像から商品コード等を読み取るものであってもよい。
【００１４】
登録装置２０は、ハウジング２２０の上部に第１表示部２４０を備える。第１表示部２４０は、スキャナ２３０が読み取った商品の名称や価格等の各種情報を表示する液晶表示装置である。また、第１表示部２４０は、各種操作を受け付けるタッチパネル２４１を備える。さらに、登録装置２０は、各種操作を受け付けるキーボード２５０を備える。また、登録装置２０は、第１表示部２４０の対面側に、第２表示部２６０を備える。第２表示部２６０は、顧客に対して取引に関する各種情報を表示する液晶表示装置である。
【００１５】
図３は、会計装置３０の外観の一例を示す斜視図である。会計装置３０は、筐体３１０の内部に釣銭部３２０（図５参照）を備えている。また、会計装置３０は、筐体３１０の上面に、プリンタ３３０と、カードリーダ３４０と、表示ポール３５０とを備える。そして、会計装置３０は、プリンタ３３０の上面に、表示部３６０を備える。
【００１６】
釣銭部３２０は、顧客から投入された貨幣の収納と、釣銭の払出とを実行する釣銭機である。釣銭部３２０は、硬貨投入口３２１と、紙幣投入口３２２と、紙幣出金口３２３と、硬貨出金口３２４とを備えている。釣銭部３２０は、紙幣投入口３２２に投入された紙幣を筐体３１０の内部に収納する。また、釣銭部３２０は、硬貨投入口３２１に投入された硬貨を筐体３１０の内部に収納する。また、釣銭部３２０は、紙幣出金口３２３から紙幣の釣銭を払い出す。また、釣銭部３２０は、硬貨出金口３２４から硬貨の釣銭を払い出す。
【００１７】
プリンタ３３０は、レシート発行口３３１を有している。プリンタ３３０は、一取引に係る各種情報を印字したレシートをレシート発行口３３１から発行する。
【００１８】
カードリーダ３４０は、プリンタ３３０の左横であって、筐体３１０の上面に載置される。カードリーダ３４０は、カード挿入口３４１から挿入されたクレジットカード等に対して情報の読み出しや書き込みを実行する。
【００１９】
また、会計装置３０は、筐体３１０の上面の後方側に円柱状の表示ポール３５０を備えている。表示ポール３５０は、上方の先端部に、会計装置３０の現在の状態に応じた色の光を発行する発光部３５１を備える。また、表示ポール３５０は、発光部３５１の下方に、番号表示部３５２を備える。番号表示部３５２は、会計装置３０を識別可能な会計装置コードを表示する液晶表示装置である。
【００２０】
表示部３６０は、会計装置３０の動作状態に関する情報を画像や文字で表示する液晶表示装置である。また、表示部３６０は、各種操作を受け付けるタッチパネル３６１を備える。
【００２１】
図４は、登録装置２０のハードウェア構成の一例を示すブロック図である。登録装置２０は、制御部２０１と、記憶部２０２と、通信インタフェース２０３と、スキャナ２３０と、第１表示部２４０と、タッチパネル２４１と、キーボード２５０と、第２表示部２６０と、音声出力部２７０とを備える。制御部２０１と、記憶部２０２と、通信インタフェース２０３と、スキャナ２３０と、第１表示部２４０と、タッチパネル２４１と、キーボード２５０と、第２表示部２６０と、音声出力部２７０とは、データバスやアドレスバス等のシステムバス２０４を介して相互に接続している。
【００２２】
制御部２０１は、登録装置２０の全体の動作を制御し、登録装置２０が提供する各種の機能を実現するコンピュータである。制御部２０１は、ＣＰＵ（Central  Processing  Unit）と、ＲＯＭ（Read  Only  Memory）と、ＲＡＭ（Random  Access  Memory）とを備える。ＣＰＵは、登録装置２０の動作を統括的に制御する。ＲＯＭは、各種プログラムやデータを記憶する記憶媒体である。ＲＡＭは、各種プログラムを一時的に記憶したり、各種データを書き換え自在に記憶したりする記憶媒体である。ＣＰＵは、ＲＡＭをワークエリア（作業領域）として使い、ＲＯＭ又は記憶部２０２等に格納されたプログラムを実行する。
【００２３】
記憶部２０２は、ＨＤＤ（Hard  Disk  Drive）やＳＳＤ（Solid  State  Drive）などの記憶装置である。記憶部２０２は、制御プログラム２０５と、入力音情報テーブル２０６とを記憶する。制御プログラム２０５は、オペレーティングシステムや、登録装置２０が提供する機能を実現させるプログラムである。制御プログラム２０５には、本実施形態に係る機能を実現させるプログラムが含まれる。
【００２４】
入力音情報テーブル２０６は、入力音情報を複数記憶した情報テーブルである。入力音情報とは、商品コードの入力を受け付けたことを示す音を発する音声情報である。
【００２５】
通信インタフェース２０３は、ネットワークに接続された会計装置３０等と通信するためのインタフェースである。音声出力部２７０は、例えば、音声情報から音を発するスピーカである。
【００２６】
図５は、会計装置３０のハードウェア構成の一例を示すブロック図である。会計装置３０は、制御部３０１と、記憶部３０２と、通信インタフェース３０３と、釣銭部３２０と、プリンタ３３０と、カードリーダ３４０と、発光部３５１と、番号表示部３５２と、表示部３６０と、タッチパネル３６１とを備える。制御部３０１と、記憶部３０２と、通信インタフェース３０３と、釣銭部３２０と、プリンタ３３０と、カードリーダ３４０と、発光部３５１と、番号表示部３５２と、表示部３６０と、タッチパネル３６１とは、データバスやアドレスバス等のシステムバス３０４を介して相互に接続している。
【００２７】
制御部３０１は、会計装置３０の全体の動作を制御し、会計装置３０が提供する各種の機能を実現するコンピュータである。制御部３０１は、ＣＰＵと、ＲＯＭと、ＲＡＭとを備える。ＣＰＵは、会計装置３０の動作を統括的に制御する。ＲＯＭは、各種プログラムやデータを記憶する記憶媒体である。ＲＡＭは、各種プログラムを一時的に記憶したり、各種データを書き換え自在に記憶したりする記憶媒体である。ＣＰＵは、ＲＡＭをワークエリア（作業領域）として使い、ＲＯＭ又は記憶部３０２等に格納されたプログラムを実行する。
【００２８】
記憶部３０２は、ＨＤＤやＳＳＤなどの記憶装置である。記憶部３０２は、制御プログラム３０５を記憶する。制御プログラム３０５は、オペレーティングシステムや、会計装置３０が提供する機能を実現させるプログラムである。制御プログラム３０５には、本実施形態に係る機能を実現させるプログラムが含まれる。
【００２９】
通信インタフェース３０３は、ネットワークに接続された登録装置２０等と通信するためのインタフェースである。
【００３０】
次に、セミセルフチェックアウトシステム１の各装置が有する特徴的な機能について説明する。ここで、図６は、セミセルフチェックアウトシステム１の各装置が有する特徴的な機能構成の一例を示すブロック図である。
【００３１】
登録装置２０の制御部２０１は、記憶部２０２に記憶された制御プログラム２０５をＲＡＭに展開し、制御プログラム２０５に従って動作することで、各機能部をＲＡＭに生成する。具体的には、登録装置２０の制御部２０１は、機能部として、通信制御部２００１と、操作制御部２００２と、商品コード入力部２００３と、販売登録部２００４と、報知制御部２００５とを備える。
【００３２】
通信制御部２００１は、通信インタフェース２０３を制御して、会計装置３０等との通信を制御する。
【００３３】
操作制御部２００２は、タッチパネル２４１やキーボード２５０から入力された操作を受け付ける。例えば、操作制御部２００２は、商品を登録する操作等を受け付ける。
【００３４】
商品コード入力部２００３は、入力手段の一例である。商品コード入力部２００３は、顧客に販売する商品の商品コードの入力を受け付ける。例えば、商品コード入力部２００３は、スキャナ２３０が商品に付されたコードシンボルを読み取ることにより商品コードの入力を受け付ける。また、商品コード入力部２００３は、操作制御部２００２が操作を受け付けることにより商品コードの入力を受け付ける。
【００３５】
販売登録部２００４は、登録手段の一例である。販売登録部２００４は、顧客に販売する商品を、取引ごとに登録する販売登録を制御する。例えば、販売登録部２００４は、商品コード入力部２００３が受け付けた商品コードの商品を販売登録する。そして、販売登録部２００４は、操作制御部２００２が販売登録を完了する操作を受け付けた場合に、販売登録情報を生成する。すなわち、販売登録部２００４は、取引コードを割り当てて、商品情報と、価格情報とを有する販売登録情報を生成する。取引コードは、取引を識別可能な識別情報である。商品情報は、販売登録した一又は複数の商品の情報である。商品情報は、例えば、商品名称や商品コードや単価等の情報である。価格情報は、取引の合計額等を示す情報である。そして、販売登録部２００４は、通信制御部２００１に生成した販売登録情報を送信させる。
【００３６】
報知制御部２００５は、報知手段の一例である。報知制御部２００５は、販売登録部２００４による其々の販売登録を取引ごとに区別可能に報知する。すなわち、報知制御部２００５は、前回の取引の販売登録と、今回の取引の販売登録とを区別することができるように報知する。例えば、報知制御部２００５は、販売登録の開始を検出したことを条件に、取引ごとの商品コードの登録を開始したことを報知する。販売登録の開始とは、例えば、取引における最初の商品コードの入力を商品コード入力部２００３が受け付けたことである。また、販売登録の開始とは、販売登録を開始する操作を操作制御部２００２が受け付けたことであってもよい。また、報知制御部２００５は、販売登録の完了を検出したことを条件に、取引ごとの商品コードの登録が完了したことを報知する。販売登録の完了とは、例えば、販売登録を完了する操作を操作制御部２００２が受け付けたことである。このように、店員及び顧客は、報知制御部２００５が販売登録の開始及び完了を報知することで、各取引の販売登録を区別することができる。
【００３７】
また、報知制御部２００５は、商品コード入力部２００３が商品コードの入力を受け付けたことを報知する入力音を取引ごとに変更して取引を報知する。ここで、報知制御部２００５は、入力音情報テーブル２０６に記憶された複数の入力音情報から選択した一の入力音情報を、音声出力部２７０に出力させることで取引を報知している。報知制御部２００５は、入力音情報テーブル２０６に記憶された複数の入力音情報から選択する入力音情報を取引ごとに変えることにより、入力音を取引ごとに変更して報知する。なお、報知制御部２００５は、入力音情報の変更に限らず、入力音情報を発する音程の高低を変更することにより入力音を変更してもよい。
【００３８】
会計装置３０の制御部３０１は、記憶部３０２に記憶された制御プログラム３０５をＲＡＭに展開し、制御プログラム３０５に従って動作することで、各機能部をＲＡＭに生成する。具体的には、会計装置３０の制御部３０１は、機能部として、通信制御部３００１と、会計制御部３００２とを備える。
【００３９】
通信制御部３００１は、通信インタフェース３０３を制御して、登録装置２０や他の会計装置３０等との通信を制御する。
【００４０】
会計制御部３００２は、販売対象の商品の会計処理を制御する。会計制御部３００２は、通信制御部３００１が販売登録情報を受信した場合に、販売登録情報に基づいて会計処理を実行する。例えば、会計制御部３００２は、商品の合計価格等を表示部３６０に表示して顧客に支払いを要求する。会計制御部３００２は、現金により支払われた場合に、釣銭部３２０に支払われた現金を収納させる。また、会計制御部３００２は、釣銭がある場合に、釣銭部３２０に釣銭を排出させる。
【００４１】
次に、登録装置２０が実行する販売登録処理について説明する。ここで、図７は、本実施形態の登録装置２０が実行する販売登録処理の一例を示すフローチャートである。
【００４２】
商品コード入力部２００３は、一取引に係る最初の商品コードの入力を受け付ける（ステップＳ１）。
【００４３】
報知制御部２００５は、商品登録の開始により取引を開始したことを報知する（ステップＳ２）。例えば、報知制御部２００５は、「商品登録を開始します。」と第１表示部２４０及び第２表示部２６０に表示する。さらに、報知制御部２００５は、「商品登録を開始します。」との音声を音声出力部２７０から出力する。
【００４４】
報知制御部２００５は、商品コードの入力を受け付けたことを示す入力音を音声出力部２７０から出力する（ステップＳ３）。販売登録部２００４は、商品コード入力部２００３が受け付けた商品コードを販売登録情報に登録する（ステップＳ４）。
【００４５】
操作制御部２００２は、販売登録処理を完了する操作を受け付けたか否かを判定する（ステップＳ５）。販売登録処理を完了する操作を受け付けていないことを条件に（ステップＳ５；Ｎｏ）、商品コード入力部２００３は、商品コードの入力を受け付けたか否かを判定する（ステップＳ６）。
【００４６】
商品コードの入力を受け付けていないことを条件に（ステップＳ６；Ｎｏ）、登録装置２０は、ステップＳ５に移行する。一方、商品コードの入力を受け付けたことを条件に（ステップＳ６；Ｙｅｓ）、登録装置２０は、ステップＳ３に移行する。
【００４７】
ステップＳ５において、販売登録処理を完了する操作を受け付けたことを条件に（ステップＳ５；Ｙｅｓ）、販売登録部２００４は、販売登録情報を生成する（ステップＳ７）。通信制御部２００１は、販売登録情報を会計装置３０に送信する（ステップＳ８）。
【００４８】
報知制御部２００５は、取引ごとの商品の登録を完了したことを報知する（ステップＳ９）。例えば、報知制御部２００５は、「商品登録を完了し、データ転送を完了ました。」と第１表示部２４０及び第２表示部２６０に表示する。さらに、報知制御部２００５は、「商品登録を完了し、データ転送を完了ました。」との音声を音声出力部２７０から出力する。
【００４９】
報知制御部２００５は、入力音を変更する（ステップＳ１０）。
【００５０】
以上により、登録装置２０は、販売登録処理を完了する。
【００５１】
以上のように、本実施形態に係るセミセルフチェックアウトシステム１によれば、登録装置２０は、商品コードを取引ごとに販売登録する。そして、登録装置２０は、其々の販売登録を取引ごとに区別可能に報知する。よって、店員は、販売登録において異なる取引の商品が混在してしまっている場合には、販売登録情報を送信する操作を忘れていることに気が付くことができる。従って、本実施形態に係る登録装置２０は、販売登録において異なる取引の商品が混在してしまうことを防止することができる。さらに、顧客も、異なる取引の商品が混在していないことを認識することができるため、安心して販売登録を待つことができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
また、上記実施形態では、セミセルフチェックアウトシステム１の登録装置２０に適用した場合を例に説明した。しかし、登録装置２０は、セミセルフチェックアウトシステム１以外のシステムにも適用することができる。例えば、販売登録と、会計処理とをそれぞれ異なる店員が実行する２人制のチェックアウトシステムにも適用することができる。
【００５４】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５５】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００５６】
１  セミセルフチェックアウトシステム
２０  登録装置
３０  会計装置
２４０  第１表示部
２６０  第２表示部
２７０  音声出力部
２００１  通信制御部
２００２  操作制御部
２００３  商品コード入力部
２００４  販売登録部
２００５  報知制御部
３００１  通信制御部
３００２  会計制御部
【先行技術文献】
【特許文献】
【００５７】
【特許文献１】特許第５８９８３６０号公報
【図１】
2018132862.tif 000003
【図２】
2018132862.tif 000004
【図３】
2018132862.tif 000005
【図４】
2018132862.tif 000006
【図５】
2018132862.tif 000007
【図６】
2018132862.tif 000008
【図７】
2018132862.tif 000009